(57)【特許請求の範囲】
【請求項１】
スリーブ管（１）の先端部分（３）が、被挿入管（１Ａ）の被挿入管先端部（２）に、半径方向に隙間を有しつゝ差込めるようになっており、内側にシール・リング（８）及びこれから分離作成され、円周方向に相互間隔を置いて配置された多数の締付け部品（１５）を付帯する締付けリング（１４）を内蔵した、特に成型造管及び遠心鋳造法製のスリーブ管（１）用を特徴とする、剪断に安定な挿入式スリーブ継手であって、
冠状の外被カバー（１７）と、
該外被カバー（１７）と共に  、加硫処理したゴムから作られた中間部材により円周方向に相互に接合される締め付け部品（１５）と、
該締め付け部品（１５）の内表面に取り付けられた歯型（１９）と、があり、
スリーブ管（１）に軸力が発生した場合には、被挿入管（１Ａ）の先端部の内面に設けられた先細りされた円錐状の内面（１８）の相互作用により、冠状の外被カバー（１７）を半径方向に押し付け、
且つ、前記締め付けリング（１４）に連なって被挿入管前端面部に固定された、高曲げ剛性に強化処理されており、平リング断面を呈する、エラストマー製のストッパー（２０）があり、
該ストッパー（２０）は、締め付けリング（１４）との緩和した状態では、  締め付けリング（１４）に向かって拡大する円錐形の接合断面（２４）で繋がっており、
該接合断面（２４）は、挿入されたスリーブ管（１）の先端部分（３）の外径と締め付けリング（１４）との関係において、接合断面（２４）は軸方向に引っ張られ、平リング側部分で半径方向に拡大可能であり、
しかも、被挿入管（１Ａ）の前端面部（２２）には、強化処理された平リング断面のストッパー（２０）である継ぎ手断面部品（２３）が嵌合する削除部分（２７）が存在し、
また、締め付け部品（１５）を付帯した締め付けリング（１４）からストッパー（２０）にかけて連なった部分、即ち、少なくとも半径方向内側において予め連結された環状の接合断面（２４）には、被挿入管（１Ａ）の先端部外周を取り囲むシール縁部（３４）が設けられていることを特徴とする剪断に安定な挿入式スリーブ継手。
【請求項２】
接合断面（２４）内側のシール縁部（３４）は、外向きに予め拡げられ、シール縁部（３４）の弾性曲げ性を高める為の、環状隆起部（３６）が配置されており、又、被挿入管（１Ａ）の該環状隆起部（３６）の領域には、環状隆起部（３６）との接合状態における許容性と位置安定性の為に、円周削除部（３７）を形成していることを特徴とする請求項１に記載の剪断に安定な挿入式スリーブ継手。
【請求項３】
円周削除部（３７）は、ほぼ半円形断面を呈することを特徴とする、請求項１又は２に記載の剪断に安定な挿入式スリーブ継手。
【請求項４】
半径方向外向きで相互に緩傾斜した２個又はそれ以上のリブ（３８）を取り囲み、そこから軸方向外側に円周削除部（３７）に沿って、環状隆起部（３６）が存在することを特徴とする請求項２又は３に記載の剪断に安定な挿入式スリーブ継手。
【請求項５】
シール縁部（３４）の基準幅が、シール縁部の外側に配置された環状隆起部（３６）の基準幅、従って円周削除部（３７）の幅より小さいことを特徴とする請求項２乃至４のいずれかに記載の剪断に安定な挿入式スリーブ継手。
【請求項６】
高曲げ剛性の鋼製リング（３９）を挿入する為に備えられた、半径方向の挿入スリット（４２）を有する環状隆起部（３６）、並びにスリーブ管の先端部分に位置し、環状隆起部（３６）のスリットに近接した位置に、シール縁部（３４）が形成されていることを特徴とする請求項１又は２に記載の剪断に安定な挿入式スリーブ継手。
【請求項７】
ほぼ矩形断面を有する円周削除部（３７）並びに環状隆起部（３６）、及び環状隆起部（３６）から半径方向に予め備えられた唇形を呈するシール縁部（３４）を特徴とする請求項６に記載の剪断に安定な挿入式スリーブ継手。
【請求項８】
被挿入管（１Ａ）の被挿入管先端部（２）は半径方向内側に、円錐形の被挿入管縁部（４０）を取り囲んでおり、管の軸に対し横方向に緩傾斜した平面上にある被挿入管前端面部（２２）が突き出しており、前記ストッパー（２０）の役目をすることを特徴とする請求項１乃至５のいずれかに記載の剪断に安定な挿入式スリーブ継手。
【発明の詳細な説明】
【０００１】
【技術分野】
本発明は成型造管および遠心鋳造製のスリーブ管などに用いられる剪断に安定な挿入式スリーブ継手に関するものである。
【０００２】
【背景技術】
既知の挿入式スリーブ継手（ＤＥ−ＯＳ  ４１  ３４  ０８９）では、スリーブ前端から締付けリング迄拡がった接合断面とスリーブ端部に挿入された隣接管の先端との間の環状スリット中に水分と酸素が浸入し、締付けリングの締付け部品迄到達することがあるとされている。特に、管の据付け床が強酸性或いは強アルカリ性の場合には、締付け部品に有害な化学反応、即ち、特に歯型の部分に腐食が起こり、その為に強度的な不具合を生ずる可能性もある。
【０００３】
【発明の開示】
この発明は、特に成型造管並びに遠心鋳造法製スリーブ管用の剪断に安定な挿入式スリーブ継手に関するものである。スリーブ管の先端部分を被挿入管の被挿入管先端部に、半径方向に隙間を保ちつゝ挿入出来るようになっており、隙間内部にはシール・リング及びこれから分離作成された締付けリングが配置されている。この締付けリングは、その円周側に相互間隔を置いて配列された多数の締付け部品から成っており、冠状カバー中に収められている。加硫硬化ゴム製の中間部材により円周方向に相互に接合されている締め付け部品には、その内面に歯型を設置している。
【０００４】
これらの相互作用に依る軸力が発生する場合には、被挿入管先端部の内面を円錐形に先細りさせこの円錐形により、冠状カバー面を半径方向に押しつける。その際、締付けリングには、被挿入管の被挿入管前端面部に固定可能なエラストーマー製の平リング形を呈する強化作用に依り曲げ剛性を高めたストッパーを置き、且つ締付けリングを押し込むことで、ほぼ円錐形に先細りした接合断面を形成する。挿入されたスリーブ管の先端部の外径と締付けリングとの相互関係に応じて拡りが可能で、また、軸方向にも延伸が可能となる。またその際、被挿入管の被挿入管前端面部には強化用の平リング形部品の横断面に適合した削除部が備えられている。
【０００５】
この様式の既知の挿入式スリーブ継手（ＤＥ−ＯＳ  ４１  ３４  ０８９）では、被挿入管前端面部から締付けリング迄連なった接合断面と、被挿入管の被挿入管先端部に挿入されたスリーブ管の先端部分との間の環状スリット中に水分と酸素が浸入し、締付けリングの締付け部品迄到達することがあるとされている。特に、管の据付け床が強酸性或いは強アルカリ性の場合には、締付け部品に有害な化学反応、即ち、特に歯型の部分に腐食が起こり、その為に強度的な不具合を生ずる可能性もある。
【０００６】
この種の危険は、以下のような簡単な方法で防止し得ることが判る。締付け部品を伴った締付けリングからストッパーに向けて連なり、少なくとも内側半径方向に予め伸ばされた環状の領域には、被挿入管の被挿入管先端部を取り巻く弾力的なシール縁部がある。スリーブ管の先端部分を被挿入管の被挿入管先端部に挿入した後に、巻き付けられた弾力的なシール縁部を環状スリットで閉鎖する為の対策が必要で、それにより締付け部品への活性化した水分及び酸素の浸入が妨げられる。
【０００７】
特に接合管同士の間に生じ得る大きな寸法誤差を考慮すれば、シール縁部の効果は当発明の適用範囲を拡げ、従って実際にその効果も上がっている。接合断面の外側にあるシール縁部を予め外側に拡げ、弾性曲げ性を高めた環状隆起部を付帯した。接合状態での環状隆起部に対する許容性及び位置安定性の為に、スリーブ端部領域に円周削除部を形成したスリーブ継手を作製した。
【０００８】
円周削除部が、ほぼ半円形の断面を有する場合には、弾性的に曲げ易いシール縁部を装着することが一般に推奨される。相互に平行して緩傾斜したリブで囲まれ、半径方向外向きの２つ以上の環状隆起部が、軸方向外側から円周削除部に沿って存在することで、この効果が付加的に高まる。半円形の円周削除部に喰込んだ環状隆起部の軸方向外側のリブに側面から打撃を加え、シール縁部の軸方向弾性曲げ性に依り、円周削除部代にある環状隆起部を半径方向に形成することも推奨される。
【０００９】
シール縁部の基準幅が、その外側に配置された環状隆起部の基準幅、即ち円周削除部の幅よりも小さいことは、機能的観点から極めて有効であると云える。
挿入式スリーブ継手の様式に発明の趣旨に沿った変更を加え、環状隆起部に半径方向のスリットを付加し、曲げ剛性を高めた鋼製リングを取付けることが推奨され、この場合、環状隆起部の被挿入管前端に向いたスリットに隣接する側にシール縁部が来ると、極めて有効なことが実証された。当様式は、特に公称径ＮＷ６００又はＮＷ１００程度の大径管の、剪断に安定な挿入式スリーブ継手の場合に有効で、これにより差込まれた鋼製リングが、据付け前及び据付け中における締付けリングの位置安定性を保証し、且つ締付けリングがひとりでに緩んで崩壊する危険の予防を可能にする。この場合でも、シール縁部の働きで、活性化した水分は締付け部品にも鋼製リングにも到達し得ない。円周削除部と環状隆起部とがほぼ矩形断面であることおよびび環状隆起部から半径方向に突き出しているシール縁部が唇型を呈することから、このかしめ機能が一般に推奨される。
【００１０】
【実施例】
図より明らかな如く、スリーブ管（１）の先端部分（３）に、被挿入管（１Ａ）の被挿入管先端部（２）が位置しており、被挿入管（１Ａ）に隣接するスリーブ管（１）の先端部分（３）が半径方向に隙間を保ちつゝ、その中に挿入出来る様になっている。
被挿入管（１Ａ）内部には削除部（４）が予め作られており、スリーブ管（１）の相対転動を規定範囲内に抑えている。此の削除部（４）の接合部にはシール室（５）があり、半径方向に突き出した被挿入管先端部（２）の内側肩部（６）により端部が仕切られている。
内側肩部（６）の間隔内に拡がった領域のシール室内には環状隆起部（７）がある。これはシール・リング（８）の位置安定化に役立ち、そこには軟質エラストマー材製の頭頂部切削面（９）と硬質エラストマー材製の脚部切削面（１０）がある。この脚部切削面（１０）はリング溝（１１）に位置しており、一方は環状隆起部（７）、他方は支柱肩部と隣接しており、同時にシール室（５）の他端と接している。
【００１１】
シール・リング（８）はこの方法でその位置を固定し、頭頂部切削面（９）の変形により、スリーブ管（１）の先端部分（３）が、被挿入管（１Ａ）の被挿入管先端部（２）に挿入される時でも、その位置関係を維持する。支柱の肩部（１２）と該被挿入管先端部（２）の前端面側の間には密閉空間（１３）があり、ここに締付けリング（１４）が設置されている。この締付けリング（１４）は、円周方向に相互間隔を保って配置された多数の締付け部品（１５）から成っている。
【００１２】
図には示されていないが、加硫処理したゴムから作られた中間部材により締付け部品（１５）が円周方向に相互に接合されている。密閉空間（１３）に面した側に、締付け部品（１５）と共に冠状に作られた外被カバー（１７）がある。これと、前記前端面部に向かって円錐形に先細りした被挿入管管内面（１８）と共に作用するもので、実際には、締付け部品（１５）の内表面に取り付けられた歯型（１９）による軸力の作用で、スリーブ管（１）の先端部分（３）に半径方向の圧力を受ける。
【００１３】
図１より推論し得る如く、締付けリング（１４）に沿って、被挿入管前端面部を位置決めするストッパー（２０）は、エラストーマー製である。このストッパー（２０）は、被挿入管（１Ａ）の被挿入管前端面部（２２）に沿って、継手断面部品（２３）に到達する部材を取り囲んでいる。図示の例では、ストッパー（２０）は、緩和した状態で被挿入管前面から締付けリング（１４）に向かって拡大するほぼ円錐形に先細りした接合断面（２４）に繋がっている。前記継手断面部品（２３）は、特に強化処理を受け、高曲げ剛性を付与されている。接合断面（２４）は差込まれたスリーブ管（１）の先端部分（３）の外径との関係において、締付けリング（１４）と共に拡がり、その際軸方向に伸び得るから、結果的に図示のように伸びた形を保つ。
【００１４】
図から更に以下のことが推論される。即ち、締付けリング（１４）の冠状の外被カバー（１７）に連なるストッパー（２０）との接合断面（２４）は、被挿入管（１Ａ）の被挿入管先端部の円錐形に先細りした被挿入管管内面（１８）に面しており、接続管同士の電気的絶縁に役立つ様に、受け部（２５）とは独立になっている。この受け部（２５）はエナメル層或いはガラス繊維強化合成物質で出来ている。
【００１５】
図より推定し得る様に、被挿入管前端面（２２）には強化処理で作られた継手断面部品（２３）に適合せしめた削除部分（２７）が断面内縁側にある。そのような処置により、被挿入管内面の密閉空間（１３）にある締付け部品（１５）を伴った締付けリングのストッパー（２０）が、大公称径管用の挿入式スリーブ継手の場合、事前であれ又管先端の挿入中であれ、スリーブへの適合に寄与している。ほぼ矩形断面を呈する継手断面部品（２３）を強化処理すれば、曲げ剛性は高まる筈である。この場合、被挿入管前端面の削除領域は、内縁側の段の処に形成される。
【００１６】
ストッパー／締付けリング・ユニットがスリーブ管の公称径に対し極めて大きい場合には、ストッパーの継手断面部品（２３）の強化作成と共に、鋼製リング（２８）を取り付け、曲げ剛性を高めている。この鋼製リング（２８）は、継手断面部品（２３）中に軸方向の差し込みスリット（２９）を準備すれば、必要に応じて鋼製リングを挿入したり、又反対に取出したりすることが可能になる。この際挿入スリツト（２９）には、鋼製リング（２８）の直径よりも小さい幅を選択することが勧められる。
【００１７】
特に、図２から図４に示すように、締付け部品（１５）を付帯した締付けリング（１４）、並びに最後に円周方向に接合され加硫処理された中間部材は、被挿入管前端面（２２）の処で後方に向きを変え、円周削除部（３０）を作る。そこには曲げ剛性があり、特に鋼製の支持リング（３１）の挿入が役に立っている。此の目的の為に、図示の様式では、支持リング（３１）を位置決めするエラストーマー材製のストッパー（３２）が円周削除部（３０）に固定されている。締付けリング（１４）の円周削除部は軸方向に開いており、且つ支持リング（３１）用の軸方向差し込みスリット（３３）を付帯する固定ストッパー・リング（３２）の内側に取り囲まれている。この差し込みスリット（３３）の幅は支持リング（３１）の直径よりも小さく作られている。
【００１８】
明らかに、締付け部品（１５）を付帯した締付けリング（１４）からストッパー（２０）に拡がった環状の領域内の接合断面（２４）は、半径方向内部に予め拡がったシール縁部（３４）を含んでいる。此のシール縁部（３４）は、スリーブ管（１）の先端部分（３）を弾力的に取り囲んでおり、従って接合断面（２４）と先端部分（３）の間にある環状スリット（３５）を通って、水分や酸素が入り込み、締付けリング（１４）の締付け部品（１５）迄到達するのを妨げることが出来る。接合断面（２４）の外側には、外向きに予め拡げられたシール縁部（３４）があり、シール縁部（３４）の弾性曲げ性を高める環状隆起部（３６）が付随している。此の環状隆起部（３４）を被挿入管端部（２）の領域内に収める為に、円周削除部（３７）が設けられている。
【００１９】
図２または図３の場合、この円周削除部（３７）はほぼ半円形の断面を有している。図３では、環状隆起部（３６）は互いに平行に拡がったリブ（３８）を含み、環状隆起部の上半分は円周削除部（３７）と共に中空空間に境を接している。軸方向外側のリブ（３８）は、傾斜して拡がっている円周削除部（３７）の壁に沿って弾力的なシール装置に達し、小室への水分の流通を妨害し、此の両者から締付け部品（１５）に対する耐蝕性が付与される。中間部にリブ（３８）を有する中間断面は、中空空間内で弾性変形を起こすが、弾性的な設計として、スリーブ管（１）の先端部分（３）にシール縁部（３４）を付けることが勧められる。図２及び図３から、シール縁部（３４）の基準幅は、シール縁部（３４）の外側に付属する環状隆起部（３６）の基準幅よりも、従って円周削除部（３７）の幅よりも小さい。
【００２０】
図４に示す変化様式では、半径方向の挿入スリット（４２）を付帯する環状隆起部（３６）が、曲げ剛性を高めた鋼製リング（３９）の挿入用に設置されている。この様式の場合、環状隆起部（３６）と被挿入管前端面部（２２）の方を向いたスリットの隣接側に、外から浸入する水分及び酸素が、鋼製リング（３９）及び締付け部品（１５）の歯形（１９）に迄到達する危険を予防する為のシール縁部（３４）が予め装着されている。図示の様に、当様式での円周削除部（３７）並びに環状隆起部（３６）はほぼ矩形断面を有している。環状隆起（３６）から半径方向に突き出ているシール縁部（３４）は弾性変形能を保証する為に、唇形を呈している。
【００２１】
この様式では、シール縁部（３４）、鋼製リング（３９）が嵌め込まれた可動の環状隆起部（３６）も同時に図２及び図３の機能を予め備えており、被挿入管前端面部（２２）に接しているストッパー（２０）の役目を引き受けている。ストッパー（２０）が図２の様式の位置にある間は、その位置は技術的に適応性があるし、ストッパー（２０）が図３の様式に従うと、半径方向内側前面に突き出した円錐形の被挿入管縁部（４０）を抱え込む。此れに依り、特に大公称径管を接合管に挿入する際に、管の据付け前の締付けリング（１４）の位置安定性が高まり、このようにして円周削除部（３７）の工夫にも拘らず、スリーブ長を短縮することが許されるから、被挿入管内面（１３）の被挿入管前端面部（２２）からの距離が短くなる。
【図面の簡単な説明】
【図１】本発明の１実施例のスリーブ管の先端部分をこれと隣接する被挿入管の被挿入管先端部に、十分差込んだ時の断面図である。
【図２】図１の１部を拡大した断面図である。
【図３】本発明の他の実施例の１部拡大断面図である。
【図４】本発明の更に他の実施例の１部拡大図である。
【符号の説明】
１  スリーブ管
１Ａ  被挿入管
２  被挿入管の被挿入管先端部
３  スリーブ管の先端部分
８  シール・リング
１４  締付リング
１５  締付け部品
１７  外被カバー
１８  外被カバーの内面
１９  歯型
２０  ストッパー
２３  継手断面部品
２４  接合断面
３４  シール縁部
３６  環状隆起部
３７  円周削除部
３８  リブ
３９  鋼製リング
４０  被挿入管縁部
４２  挿入スリット
【図１】
0003561809.tif 000002
【図２】
0003561809.tif 000003
【図３】
0003561809.tif 000004
【図４】
0003561809.tif 000005